(57)【要約】【課題】  屋外汚染物質の室内への侵入の防止又は室内汚染物質の屋外への拡散防止をする室内圧力制御システム及び室内圧力制御方法を提供することを目的とする。【解決手段】  屋外汚染状況を入力する入力手段１０と、室内の圧力を変更する室内圧力変更手段３０と、入力手段１０により入力された屋外汚染状況に応じて室内圧力変更手段３０により室内の圧力を変更するように制御する制御部２０とを備えたことを特徴とする。【選択図】図１
2008164178.tif 000002
【特許請求の範囲】
【請求項１】
屋外汚染状況を入力する入力手段と、室内の圧力を変更する室内圧力変更手段と、前記入力手段により入力された屋外汚染状況に応じて前記室内圧力変更手段により室内の圧力を変更するように制御する制御部とを備えたことを特徴とする室内圧力制御システム。
【請求項２】
前記室内圧力変更手段は仕切であり、前記仕切により室内に陽圧対象エリアを形成し、前記陽圧対象エリアの圧力を高くすることを特徴とする請求項１に記載の室内圧力制御システム。
【請求項３】
前記室内圧力変更手段は袋状部材であり、前記袋状部材により室内に陽圧対象エリアを形成し、前記陽圧対象エリアの圧力を高くすることを特徴とする請求項１又は請求項２に記載の室内圧力制御システム。
【請求項４】
前記陽圧対象エリアは、前記袋状部材の内部であることを特徴とする請求項３に記載の室内圧力制御システム。
【請求項５】
屋外汚染状況に応じて室内の圧力を変更するように制御することを特徴とする室内圧力制御方法。
【発明の詳細な説明】
【技術分野】
【０００１】
本発明は、屋外汚染物質の室内への侵入防止又は室内汚染物質の屋外への拡散防止をする室内圧力制御システム及び室内圧力制御方法に関するものである。
【背景技術】
【０００２】
従来、室内と屋外との圧力差を検出し、その検出値に基づいて室内に屋外の空気を給気する給気ユニット及び室内の空気を屋外に排気する排気ユニットを制御する密閉された室内の圧力を調整する室圧調整装置がある（特許文献１参照）。
【特許文献１】特開２００１−３４９５８６号公報
【発明の開示】
【発明が解決しようとする課題】
【０００３】
ところで、自動車等の排気ガスによる窒素酸化物、花粉等に対して、室内への侵入を防止するためにフィルタを設置することは、従来から行われている。しかしながら、化学工場等の事故による汚染、火山性爆発によるガス汚染、核関連物質、生物・化学剤等の不意な事故等に対しては、フィルタのみでは対応できず、これらを含めて対応できる装置は従来存在していなかった。
【０００４】
本発明は上記課題を解決し、通常は対象室内を陰圧にしないようにして、清浄空気を供給することを基本にし、屋外汚染物質の室内への侵入の防止又は室内汚染物質の屋外への拡散防止をする室内圧力制御システム及び室内圧力制御方法を提供することを目的とする。
【課題を解決するための手段】
【０００５】
本発明は上記課題を解決するものであって、本発明の室内圧力制御装置は、屋外汚染状況を入力する入力手段と、室内の圧力を変更する室内圧力変更手段と、前記入力手段により入力された屋外汚染状況に応じて前記室内圧力変更手段により室内の圧力を変更するように制御する制御部とを備えたことを特徴とする。
【０００６】
また、前記室内圧力変更手段は仕切であり、前記仕切により室内に陽圧対象エリアを形成し、前記陽圧対象エリアの圧力を高くすることを特徴とする。
【０００７】
また、前記室内圧力変更手段は袋状部材であり、前記袋状部材により室内に陽圧対象エリアを形成し、前記陽圧対象エリアの圧力を高くすることを特徴とする。
【０００８】
また、前記陽圧対象エリアは、前記袋状部材の内部であることを特徴とする。
【０００９】
さらに、本発明の室内圧力制御方法は、屋外汚染状況に応じて室内の圧力を変更するように制御することを特徴とする。
【発明の効果】
【００１０】
本発明によれば、屋外汚染状況を入力する入力手段と、室内の圧力を変更する室内圧力変更手段と、前記入力手段により入力された屋外汚染状況に応じて前記室内圧力変更手段により室内の圧力を変更するように制御する制御部とを備えたので、屋外汚染物質の室内への侵入を防止することができる。
【００１１】
また、前記室内圧力変更手段は仕切であり、前記仕切により室内に陽圧対象エリアを形成し、前記陽圧対象エリアの圧力を高くするので、簡単な構造及び低コストで屋外汚染物質の室内への侵入の防止を実現することができる。
【００１２】
また、前記室内圧力変更手段は袋状部材であり、前記袋状部材により室内に陽圧対象エリアを形成し、前記陽圧対象エリアの圧力を高くするので、簡単な構造及び低コストで屋外汚染物質の室内への侵入の防止を実現することができる。
【００１３】
また、前記陽圧対象エリアは、前記袋状部材の内部であるので、簡単な構造及び低コストで屋外汚染物質の陽圧対象エリア内への侵入の防止を実現することができる。
【００１４】
さらに、本発明の室内圧力制御方法は、屋外汚染状況に応じて室内の圧力を変更するように制御するので、屋外汚染物質の室内への侵入を防止することができる。
【発明を実施するための最良の形態】
【００１５】
以下、図面を参照して本発明の室内圧力制御システム及び室内圧力制御方法の一実施形態を説明する。図１に示すように、本実施形態では、屋外汚染物質に対する対応について説明する。１は室内圧力制御システム、２は空気浄化装置、３は空調ＰＡＣ、４は通常時給気ダンパ、３０は室内圧力変更手段、３１は仕切、Ａは室、Ａ１は陽圧対象エリアである。なお、この場合の室内圧力変更手段３０は、仕切３１のことである。
【００１６】
室内圧力制御システム１は、フィルタを有する空気浄化装置２、空調ＰＡＣ３、通常時給気ダンパ４及び室内圧力変更手段３０等を備えている。通常時は、空気浄化装置２、空調ＰＡＣ３及び通常時給気ダンパ４を作動し、運転している。室内圧力変更手段３０は、化学工場等の事故による汚染、火山性爆発によるガス汚染、核関連物質、生物・化学剤等の不意な事故等が起こった場合の緊急時に室Ａ内の陽圧対象エリアＡ１の圧力を上昇させるものである。本実施形態では、陽圧対象エリアＡ１の容積を削減する仕切３１を有する。
【００１７】
図２は、本実施形態の室内圧力制御システムのブロック図を示す。図２において、１０は入力手段、１１は入力手段１０の一例としてのセンサ、１２は入力手段１０の一例としての受信装置、２０は制御部、３０は室内圧力変更手段、３１は室内圧力変更手段３０の一例としての仕切、４０は警報手段である。
【００１８】
センサ１１は外部の汚染状況を検知するもので、自動車の排気ガス等の通常汚染、化学工場・火山性ガス等の特定物質等の周囲に対応した特定の汚染のみを検知するものでもよい。受信装置１２は火山警報等の緊急時の警報等を受信するものである。センサ１１及び受信装置１２は共に２４時間連続で不意の外部汚染に備えることができるものが好ましいが、人の入退出管理が厳密に行われている箇所等では、勤務時間又は室内滞在時間のみにセンシング又は受信するようにしてもよい。制御部２０は、入力手段１０からの信号を入力として、室内圧力変更手段３０を制御するものである。室内圧力変更手段３０は、本実施形態では、仕切３１を有し、部屋の大きさを小さくすることで、吸気量や排気量を変更しなくても室内の圧力を上昇できるものである。警報手段４０は、避難者を陽圧対象室Ａ１へ案内するための音声警報手段や表示警報手段等を含み、避難者を誘導するものである。
【００１９】
このような、構造の室内圧力制御システムの作動について説明する。通常時、外気は空気浄化装置２で浄化され、空気ＰＡＣ３により温度を調整され、通常給気ダンパ４により流量を調整されて室Ａに空気を供給している。
【００２０】
外部の汚染状況を検知するセンサ１１又は緊急時の警報等を受信する受信装置１２等の入力手段１０により緊急時であることが制御部２０に入力されると、仕切３１により室Ａは、陽圧対象エリアＡ１とそうでない部分とに分割され容積を小さくし、陽圧対象エリアＡ１の室圧を要求室圧にする。要求圧力によっては、仕切３１による分割だけを行うが、より高い要求圧力の場合、給気量を上昇させ、排気量を削減又は排気を停止してもよい。また、周囲風速等により給気量や排気量を制御してもよい。さらに、制御部２０により、図示しない窓や扉等を自動的に閉状態に制御してもよい。
【００２１】
このような室内圧力制御システム１を適用することにより、屋外汚染物質の室内への侵入を防止することができる。
【００２２】
図３は、第２の実施形態として、仕切３１に代えて、袋状部材３２、第１緊急時給気ダンパ３３及び第２緊急時給気ダンパ３４等を適用したものである。袋状部材３２は、通常時には壁や天井等の中に隠され、緊急時に膨張し、陽圧対象エリアＡ１の容積を削減するものである。また、第１緊急時給気ダンパ３３、第２緊急時給気ダンパ３４は、緊急時に袋状部材３２に給気するために開くダンパであり、第１緊急時給気ダンパ３３は、通常時に使用している給気系統と連結されたもので、第２緊急時給気ダンパ３４は、通常時に使用していない別の給気系統と連結されたものである。
【００２３】
図４は、第２実施形態のブロック図である。図４において、３２は室内圧力変更手段３０の一例としての袋状部材、３３は室内圧力変更手段３０の一例としての第１緊急時給気ダンパ、３４は室内圧力変更手段３０の一例としての第２緊急時給気ダンパ、その他は第１実施形態と共通である。
【００２４】
このような構造の第２実施形態の作動は、入力手段１０に関しては、第１実施形態と共通であり、その後、常閉の第１緊急時給気ダンパ３３及び第２緊急時給気ダンパ３４が開き、袋状部材３２が膨張することにより、室Ａは、陽圧対象エリアＡ１の容積を小さくし、陽圧対象エリアＡ１の室圧を要求室圧にする。要求圧力によっては、仕切３１による分割だけを行うが、より高い要求圧力の場合、排気量を削減又は排気を停止してもよい。また、周囲風速等により給気量や排気量を制御してもよい。通常、周囲風速が高いほど、室内の陽圧を上げる必要がある。さらに、制御部２０により、図示しない窓や扉等を自動的に閉状態に制御してもよい。
【００２５】
なお、仕切３１及び袋状部材３２は、第３の実施形態として、図５に示すように、袋状部材３２により仕切３１を作動させるように、両者協同して適用してもよい。
【００２６】
次に、具体的な室内陽圧の設定について説明する。表１は、汚染状況による室内陽圧を示すものである。
【００２７】
【表１】
2008164178.tif 000003
このように、本実施形態では、緊急時レベルが上がると、表１のように設定を切り換えて運転する。緊急時レベルとしては、屋外汚染物質の飛散状況や風速等により設定し、入力手段１０により検知し、制御部２０がどのレベルか判断するとよい。なお、本表内の数値はあくまでも目安であり、状況に合わせて他の数値を設定してもよい。また、本表では、３クラスとしているが、クラスの数はいくつに設定してもよい。
【００２８】
図６は、他の実施形態を示す図である。本実施形態では、袋状部材１３２内部を陽圧対象エリアＡ１としたものであり、緊急時には、第１緊急時バルブ１３３を開き、天井や壁面から袋状部材１３２を出現させて濾過空気により膨張させ、袋状部材１３２に扉等を設けて、人はその中に入ることとする。この場合にも袋状部材１３２と仕切３１を両者協同して作動させてよい。
【００２９】
また、その他の実施形態として、入力手段として室内汚染状況を検知するセンサを有し、センサにより入力された室内汚染状況に応じて室内圧力変更手段により室Ａの周囲の圧力を上昇させて、室内汚染物質の屋外への拡散を防止するように設定してもよい。例えば、室Ａの汚染源を袋状部材で覆い、室Ａの内部で袋状部材の外部の圧力を上昇させる。このような室内圧力制御システム１を適用すると、室内汚染物質の屋外への拡散を防止することができる。
【図面の簡単な説明】
【００３０】
【図１】第１実施形態の室内圧力制御システムを示す図である。
【図２】第１実施形態のブロック図である。
【図３】第２実施形態の室内圧力制御システムを示す図である。
【図４】第２実施形態のブロック図である。
【図５】第３実施形態の室内圧力制御システムを示す図である。
【図６】他の実施形態の室内圧力制御システムを示す図である。
【符号の説明】
【００３１】
１…室内圧力制御システム、２…空気浄化装置、３…空調ＰＡＣ、４…通常時給気ダンパ、１０…入力手段、１１…センサ、１２…受信装置、２０…制御部、３０…室内圧力変更手段、３１…仕切、３２，１３２…袋状部材、３３…第１緊急時給気ダンパ、３４…第２緊急時給気ダンパ、Ａ…室、Ａ１…陽圧対象エリア
【図１】
2008164178.tif 000004
【図２】
2008164178.tif 000005
【図３】
2008164178.tif 000006
【図４】
2008164178.tif 000007
【図５】
2008164178.tif 000008
【図６】
2008164178.tif 000009